(57)【特許請求の範囲】
【請求項１】
扱胴の外周に沿う形状の横桟部材を扱胴軸芯方向に複数個並設し、扱胴軸芯方向に沿う棒状の縦桟部材を扱胴周方向に複数個並設される状態で前記横桟部材にそれぞれ貫通支持することで第１受網体を構成するとともに、
扱胴周方向において前記縦桟部材とは異なる位置に配置される棒状の第２縦桟部材を枠体に架設して構成した第２受網体を、前記第１受網体に対して組付け及び組付け解除可能に構成し、
この第２受網体に備える前記第２縦桟部材は、前記第１受網体との組付け状態で、第１受網体の扱胴周方向で相隣る位置の縦桟部材同士の配設間隔内に位置するように配設位置を設定してある自脱型コンバインの受網構造。
【請求項２】
前記第１受網体は、前記縦桟部材の扱胴周方向での並設間隔を狭く設定したものと、それよりも並設間隔を広く設定したものとのそれぞれに同一仕様の前記第２受網体を組付け可能に構成してある請求項１に記載の自脱型コンバインの受網構造。
【発明の詳細な説明】
【０００１】
【発明の属する技術分野】
本発明は、自脱型コンバインに搭載される脱穀装置に配備される受網構造に関する。
【０００２】
【従来の技術】
従来、自脱型コンバインの脱穀装置における受網構造としては、クリンプ網や樹脂製網で構成したものが周知である。
【０００３】
【発明が解決しようとする課題】
しかしながら、上記従来の構造のものでは、処理物が網目に引っ掛かって目合いに詰まりが生じたときに清掃しようとしてもその目合い毎に詰まり処理物を掻き落とすような手間の掛かることをしなければならず面倒であった。
【０００４】
本発明は、上記実情に鑑みてなされたものであって、網目に目詰まりが生じても簡易迅速な清掃を行うことのできる自脱型コンバインの受網構造の提供を目的とする。
【０００５】
【課題を解決するための手段】
（構成）  本発明の請求項１にかかる自脱型コンバインの受網構造は、扱胴の外周に沿う形状の横桟部材を扱胴軸芯方向に複数個並設し、扱胴軸芯方向に沿う棒状の縦桟部材を扱胴周方向に複数個並設される状態で前記横桟部材にそれぞれ貫通支持することで第１受網体を構成するとともに、
扱胴周方向において前記縦桟部材とは異なる位置に配置される棒状の第２縦桟部材を枠体に架設して構成した第２受網体を、前記第１受網体に対して組付け及び組付け解除可能に構成し、
この第２受網体に備える前記第２縦桟部材は、前記第１受網体との組付け状態で、第１受網体の扱胴周方向で相隣る位置の縦桟部材同士の配設間隔内に位置するように配設位置を設定してあることを特徴構成とする。
【０００６】
（作用）  本発明の請求項１にかかる構成によれば、受網の網目は、第１受網体の縦桟部材と横桟部材と、さらに、第２受網体の第２縦桟部材とによって構成されることになって、処理物漏下用の網目を比較的細かいものに構成できる。また、そういうものでありながら、その網目に処理物が詰まった場合でも、第１受網体から第２受網体を取り外せば、その取り外しの際に詰まり処理物が除去され易いとともに、第１受網体のみでは縦桟部材と横桟部材とで網目が構成されることでその網目の面積も大きなものとなり、詰まり処理物の除去も簡易にできる。また、予め第１受網体と第２受網体とをそれぞれ製造して、２つを組付ける工程により受網が構成されることになるから、縦桟部材を横桟部材に一々組付けて受網全体を完成させるものより効率的に生産できることになる。
【０００７】
（効果）  従って、本発明の請求項１にかかる構成によれば、単に第１受網体に第２受網体を組付ける作業で通常使用の可能な受網を構成できるとともに、例え網目に目詰まりが生じても第１受網体と第２受網体との組付を解除して各受網体での大きな目合いに対して詰まりものの除去をするので簡易にその除去作業ができ、詰まり解消の作業効率を向上できる。
【０００８】
（構成）  本発明の請求項２にかかる自脱型コンバインの受網構造は、請求項１に記載のものにおいて、前記第１受網体は、前記縦桟部材の扱胴周方向での並設間隔を狭く設定したものと、それよりも並設間隔を広く設定したものとのそれぞれに同一仕様の前記第２受網体を組付け可能に構成してあることを特徴構成とする。
【０００９】
（作用）  本発明の請求項２にかかる構成によれば、第１受網体として、前記縦桟部材の扱胴周方向での並設間隔を狭く設定したものと、それよりも並設間隔を広く設定したものとを、それぞれ、第２受網体に組付け及び取り外し可能に構成してあるから、目合い（網目）の大きさの異なる受網を得るのに、第１受網体の方を複数種用意するだけで良いから、目合いの大きさの異なる受網ごとに全体を構成するようにしなくて良いものとなる。
【００１０】
（効果）  従って、本発明の請求項２にかかる構成によれば、受網の全体的に目合いの大きさの異なるものをそれぞれ用意するものに比較して、第２受網体は共通のものとして用いることができるので、安価なものとなるとともに、目詰まりしたときの清掃も簡易なものとなる。
【００１１】
【発明の実施の形態】
以下、本発明の実施の形態を図面に基づいて説明する。
図１に、自脱型コンバインの一例を示している。この自脱型コンバインは、左右一対のクローラ走行装置１，１に支持される機体フレーム２の前端部に、横軸芯Ｐ周りで上下揺動自在に刈取前処理装置３を装着するとともに、機体フレーム２に、脱穀装置４、搭乗運転部５、穀粒貯留部６等を搭載装備して構成している。
【００１２】
そして、図２に示すように、脱穀装置４は、刈取前処理装置３から受け渡された刈取穀稈を株元挟持状態でフィードチェーン７により後方に搬送しながら穂先の扱処理を行う扱胴８を扱室９に軸架しているとともに、扱室９に架設される受網１０を介して漏下してきた脱穀処理物を揺動選別装置１１で選別処理し、精選別処理物を一番物回収装置１２で前記穀粒貯留部６に回収搬送し、粗選別処理物を二番物回収装置１３で回収して揺動選別装置１１に還元するように構成している。
【００１３】
図３乃至図９に示すように、受網１０は、横桟部材１４と、縦桟部材１５並びに第２縦桟部材２３を縦横に配置して構成している。詳述すると、受網１０は、第１受網体１７に、第２受網体１８を組付けて構成しているのであって、第１受網体１７は、図６に示すように、扱胴８の外周に沿う形状の円弧状板材から成る横桟部材１４‥を扱胴軸芯方向に複数個並設し、扱胴８の回転軸芯としての扱胴軸芯Ｙ方向に沿うピアノ線からなる棒状の縦桟部材１５‥を扱胴周方向に複数個並設される状態で前記横桟部材１４‥にそれぞれ貫通支持することで構成されている。尚、各横桟部材１４‥の両端部をそれぞれ保持枠２１，２１に連結固定して一体化している。
【００１４】
第２受網体１８は、図５に示すように、扱胴８の外周に沿う形状の前後一対の円弧状板材から成る枠体２２，２２間に、扱胴周方向で複数個並設される第２縦桟部材２３‥を架設している。この第２縦桟部材２３‥の扱胴周方向での間隔は、比較的広く設定しているのであって、各第２縦桟部材２３‥は、第１受網体１７の各横桟部材１４の下縁側に所定間隔おきに形成した切り欠き２４‥に係合できるようにその間隔設定がなされている。そして、第１受網１７に対して下方側から第２受網体１８を入れ込むようにすることで、第２受網体１８の第２縦桟部材２３‥が、第１受網体１７の各横桟部材１４の切り欠き２４に係合されるようにして組付けられ、第２受網体１８の枠体２２，２２の扱胴周方向での両端に設けたフランジ部２５，２５を、第１受網体１７のチャンネル部材からなる前記保持枠２１，２１に保持する状態にしてそのフランジ部２５，２５を保持枠２１，２１にボルト締結して固定する。これら枠体２２，２２により縦桟部材１５の受網両端での抜け止めも行われることになる。この受網では、縦桟部材１５と第２縦桟部材２３とは交互に並設されることになる。尚、切り欠き２４の深さは、縦桟部材１５の貫通位置とほぼ同じに設定されているので、第１受網体１７と第２受網体１８とを組付けた状態にしたときの縦桟部材１５と第２縦桟部材２３とは扱胴軸芯Ｙを中心とする一つの周面上に沿って並設される状態になる。又、第１受網体１７と第２受網体１８とはその前後幅並びに扱胴周方向での幅はほぼ同じに設定している。
【００１５】
従って、上記のように第１受網体１７と第２受網体１８とを組付けた状態では、図７に示すように、縦桟部材１５並びに第２縦桟部材２３と、横桟部材１４とで構成される網目、すなわち目合いの大きさは、単に縦桟部材１５と横桟部材１４との組合わせによる目合いの大きさや、第２縦桟部材２３のみの目合いの大きさよりも小さいものとなるとともに、漏下処理に適した大きさとなる。また、例え受網の目合いに詰まりが生じても、第１受網体１７から第２受網体１８を取り外すことで詰まり解消の清掃作業が簡易に行えるものとなる。
【００１６】
次に、請求項２に係る発明について説明する。
図１１乃至図１３に示すように、第１受網体１７は、第２受網体１８の前後幅の２分の１の大きさに設定し、第１受網体１７を、縦桟部材１５の並設間隔の大きいもの（図８及び図９に例示するもの）と、これよりも縦桟部材１５の並設間隔の小さいもの（図１０に例示するもの）との２種類用意しておく。そして、例えば濡れた穀稈に対して脱穀処理するときには、図１１に示すように、縦桟部材１５の並設間隔の大きい第１受網体１７を前後に２つ並べて、それに第２受網体１７を組付ける。この構造の受網では、縦桟部材１５と第２縦桟部材２３とは交互に並設されることになる。比較的乾燥した穀稈に対して脱穀処理するときには、図１２に示すように、縦桟部材１５の並設間隔の小さい第１受網体１７を前後に２つ並べて、それに第２受網体１７を組付ける。この構造の受網では、扱胴周方向に２本並んだ縦桟部材１５の隣に１本の第２縦桟部材２３が並設されることになる。これにより、脱穀処理対象に応じて脱穀処理物が漏下しにくい場合や詰まりの生じ易い場合には、目合いの大きな受網に構成し、脱穀処理物が漏下し易い場合や詰まりの生じ難い場合には、目合いの小さな受網に構成する。尚、図１３に示すように、縦桟部材１５の並設間隔の小さい第１受網体１７と、縦桟部材１５の並設間隔の大きい第１受網体１７とをそれぞれ前後に並設して、第２受網体１８を組付けても良いとともに、第１受網体１７と第２受網体１８とを上述の実施の形態のように前後幅を同じものに構成し、異なる目合いの第１受網体１７をその第２受網体１８との組付けの付け替えできるようにしても良い。さらに、第１受網体１７の目合いの大きさの種類も大小２種のみならず、３種以上仕様設定しても良い。
【図面の簡単な説明】
【図１】自脱型コンバインを示す全体側面図
【図２】脱穀装置を示す縦断側面図
【図３】脱穀装置における受網等を示す縦断側面図
【図４】扱胴と受網を示す縦断正面図
【図５】第２受網体を示す平面図
【図６】第１受網体を示す平面図
【図７】第１及び第２受網体を組付けた状態の受網を示す平面図
【図８】第１及び第２受網体を組付ける様子を示す部分斜視図
【図９】第１及び第２受網体を組付ける様子を示す部分正面図
【図１０】請求項２に係る発明の第１及び第２受網体を組付ける様子を示す部分斜視図
【図１１】請求項２に係る発明の目合いが大の受網を示す平面図
【図１２】請求項２に係る発明の目合いが小の受網を示す平面図
【図１３】請求項２に係る発明の目合いが小と大の第１受網体を組付けた受網を示す平面図
【符号の説明】
８    扱胴
１４  横桟部材
１５  縦桟部材
１６  第２縦桟部材
１７  第１受網体
１８  第２受網体
２２  枠体
【図１】
0003590293.tif 000002
【図２】
0003590293.tif 000003
【図３】
0003590293.tif 000004
【図４】
0003590293.tif 000005
【図５】
0003590293.tif 000006
【図６】
0003590293.tif 000007
【図７】
0003590293.tif 000008
【図８】
0003590293.tif 000009
【図９】
0003590293.tif 000010
【図１０】
0003590293.tif 000011
【図１１】
0003590293.tif 000012
【図１２】
0003590293.tif 000013
【図１３】
0003590293.tif 000014